(57)【特許請求の範囲】
【請求項１】
コンテナの出口に設置する円筒形の本体（１）と、前記本体を直径方向に貫通するステム（４）と、前記ステムと一体回転するディスク（３）と、前記ステムの角度位置を規定する手段（５、７、１４、１５、１６、１７、１８）とを備えたダンパーにおいて、前記ディスクは半円形の可動仕切板部（９）であり、前記本体内部の片側は前記可動仕切板部により開閉自在に仕切られ、反対側は前記本体に固定されて底辺が前記可動仕切板へ下降傾斜する固定斜板（２）により常時仕切られることを特徴とする錠剤等を収容するコンテナのダンパー。
【請求項２】
前記ディスク（３）は前記ステムと一体回転するが軸方向には相互摺動可能な中間軸部（８）を備え、前記固定斜板（２）は前記中間軸部に接する底辺と前記本体内周面に接する周辺を有する半楕円形の固定仕切板部（１１）と、前記固定仕切板部から突出して前記本体（１）にボルト（１３）で固定される支柱部（１２）とを一体に備えることを特徴とする請求項１記載の錠剤等を収容するコンテナのダンパー。
【請求項３】
前記手段は前記ステム（４）の一端部に固定したハンドル（１４）と、前記本体に固定されて前記ハンドルと対向するプレート（１６）と、前記ハンドルと前記プレートの一方に設けたピン（１８）と他方に設けたピン孔（１７）と、前記ステムの他端部に設けたねじ部（１５）と、前記ねじ部にはめたコイルばね（５）と、前記コイルばねを押圧するちょうナット（７）とからなり、前記ピンと前記ピン孔を係合させて前記ちょうナットを締め込むと前記ステムは所定の角度位置に固定され、前記ちょうナットを弛めて前記ピンをピン孔から抜くと、前記ステムは回転可能となるようにしたことを特徴とする請求項１又は２記載の錠剤等を収容するコンテナのダンパー。
【発明の詳細な説明】
【０００１】
【発明の属する技術分野】
本発明は、錠剤状の薬品、食品等を収容するコンテナの底に設置するダンパーに関する。
【０００２】
【従来の技術】
錠剤等を収容するコンテナは底に排出用の丸孔状の出口を有し、ダンパーはその丸孔に設置される。
従来のダンパーは、コンテナの出口に接続する円筒形の本体と、その本体に支持されて本体内を直径方向に貫通するハンドル付きステムと、そのステムと一体の円盤状のディスクと、本体に設けられてディスクの角度位置を規定する手段とから形成されていた。ハンドルを回してディスクを第１角度位置に設定すると、ディスクは本体の軸心に直交してコンテナの出口を閉鎖し、第２角度位置に設定すると、ディスクは本体の軸心に平行になってコンテナの出口を開放し、コンテナ内に収容されていた錠剤等は出口から排出される。
【０００３】
【発明が解決しようとする課題】
従来のダンパーは、コンテナの出口を開くとき、ディスクの片側半部は下方に回転し、反対側半部は上方に回転する。このとき、ディスクの下方に回転する片側半部上に堆積していた錠剤等は落下するだけで損傷するおそれはないが、上方に回転すると反対側半部上に堆積していた錠剤等は押し上げられて損傷するという問題があった。
【０００４】
本発明はこの問題の解決を課題とするものであり、その目的とするところは、コンテナの出口に設けるダンパーであって、ダンパーを開いても、錠剤等が損傷するおそれのないものを提供することにある。
【０００５】
【課題を解決するための手段】
前記課題を達成するため、本発明が採用する手段は、コンテナの出口に直結する円筒状の本体と、その本体に両端部を軸受けされて本体を直径方向に貫通するステムと、そのステムと一体に回転するように設けたディスクとからなるダンパーにおいて、ディスクを半円形として本体の内部の片側を開閉可能に仕切り、本体の内部の反対側には、周辺が本体内周面にそれぞれ接し、底辺がディスクの直径辺へ下降傾斜する固定斜板を設けたことにある。
【０００６】
【発明の実施の形態】
本発明のダンパーを図面に示す実施例に基づいて説明する。
図１及び図２はダンパーの縦断面図及び平面図である。
図１及び図２に示すように、ダンパーの本体１は円筒形であり、内径は直結する図外のコンテナの出口孔の内径と同一である。本体１を直径方向に貫通するステム４を設け、そのステムの両端部を本体１に回動可能にかつ軸方向に摺動可能に軸受けする。半円形のディスク３をステム４に取り付け、本体１の内部片側を開閉可能に仕切る。ディスク３は小円筒状の中空軸部８と、その中空軸部を直径とする半円形の可動仕切部９とから形成する。中空軸部８は、内嵌したステム４とスライドキー１０を介して結合するから、ディスク３はステム４と一体回転するが、軸方向には相互に摺動可能である。
【０００７】
本体１の内部の反対側は固定斜板２によって仕切る。固定斜板２は、周辺が本体１の内周面に接し、底辺がディスク３の中空軸部８の最上面に下降傾斜して接し、半楕円形の固定仕切板部１１と、その半楕円形の固定仕切板部１１の裏面から突出して本体１の内周面に当接する支柱部１２と、その支柱部１２を本体１に固定するボルト１３とからなる。本体１、固定斜板２、ディスク３はいずれもステンレス製である。
【０００８】
図２及び図３に示すように、ステム４の本体１から突出する両端部の一方にはハンドル１４を固定し、他方にはねじ部１５を形成する。そのねじ部１５にコイルばね５を、その外側からばね押え６をはめ、さらに、ちょうナット７をねじばめする。本体１のステムのハンドル側を軸受けする部分には、ステム４の角度位置を規定するプレート１６を一体に設け、そのプレート１６をハンドル１４と対向させる。プレート１６にはピン孔１７をあけ、そのピン孔１７にハンドル１４から突出するピン１８を挿入する。
【０００９】
図４に示すように、プレート１６はステム４の軸心を中心とする扇形であり、両側の全閉及び全開用ピン孔１７は中心角９０度の位置にある。全閉及び全開用ピン孔の中間には半開用ピン孔が設けられる。
次に、ダンパーの動作について説明する。
図２及び図３に示すように、ハンドル１４のピン１８がプレート１６の全閉用ピン孔１７に挿入されたとき、図１に示すように、ディスク４の可動仕切板部９は本体１の軸心に直交し、本体１の内部の片側を閉じる。本体１の内部の反対側は固定斜板２の固定仕切板部１１により常に閉じられているから、コンテナの出口は全閉となる。ここで、ちょうナット７を締め込むと、ディスク３は回転不能となり、コンテナの出口は全閉状態に維持される。
【００１０】
コンテナの出口を開放して内部の錠剤等を排出するときは、ちょうナット７を弛めてから、ハンドル１４を図３に示すように外方へ引き、ハンドル１４のピン１８をプレート１６のピン孔１７から抜く。それから、ハンドル１４を９０度回転してピン１８を全開用ピン孔に合わせてハンドルを放すと、圧縮したコイルばね５の反発力でステム４は戻され、ハンドルのピン１８は全開用ピン孔にはまる。
【００１１】
このとき、ディスク３の可動仕切板部９は、ステム４から垂下し、本体１の軸心と平行になるから、本体１の片側は開放され、コンテナの出口は開く。その結果、本体１の片側寄りに堆積していた錠剤等は本体１の片側から排出される。固定斜板２の固定仕切板部１１は本体１の片側に向けて傾斜するから、本体１内の反対側に堆積していた錠剤等も固定仕切板部１１の表面に沿って滑り、円滑に本体１から排出される。
【００１２】
出口を開くとき、従来のように、ディスクが内部に堆積している錠剤等が押し上げられることはないから、ディスク３の作動により錠剤が損傷するおそれは全くない。
ちょうナット７及びボルト１３を外すと、ダンパーは簡単に分解することができるから、定期的な洗浄、消毒等の処理も容易に実施可能である。
【００１３】
固定仕切板部１１の本体１の内周面との接触部及びディスク３の中空軸部８との接触部は、錠剤を挟み込む空隙が生じないように形成される。
【００１４】
【発明の効果】
上記のとおり、本発明のコンテナ出口用ダンパーは、従来の円形ディスクからなるものとは異なり、半円形のディスクと固定斜板とからなるから、ディスクの作動により、収容した錠剤等が損傷するおそれは全くないという優れた効果を奏する。
【００１５】
又、このディスクと固定斜板は簡単に分解組立が可能であるから、本発明のダンパーは、定期的な洗浄、消毒等の処理も容易であるという格別の効果も奏する。
【図面の簡単な説明】
【図１】本発明の１実施例のダンパーのステムに直交する縦断面図であり、全閉状態のダンパーを示す。
【図２】図１のダンパーの平面図、
【図３】図１のダンパーのステムに平行な縦断面図であり、全開状態のダンパーを示す。
【図４】図３のＩＶ−ＩＶ線矢視図、
【符号の説明】
１：本体
２：固定斜板
３：ディスク
４：ステム
５：コイルばね
６：ばね押え
７：ちょうなっと
８：中空軸部
９：可動仕切板部
１０：スライドキー
１１：固定仕切板部
１２：支柱部
１３：ボルト
１４：ハンドル
１５：ねじ部
１６：プレート
１７：ピン孔
１８：ピン
【図１】
0004025917.tif 000002
【図２】
0004025917.tif 000003
【図３】
0004025917.tif 000004
【図４】
0004025917.tif 000005